(57)【要約】  本発明は、ハウジングを有する携帯型Ｘ線デバイスを提供し、該ハウジングは、側部および後部ハンドルを有し、各ハンドルは、使用のための操作に適した位置にトリガーおよびインジケーターライトを有する。トリガーは、各ハンドルの各端部に配置され、かつ、オペレーターによって駆動されるように角度をなして配置されており、一方のハンドル上のトリガーはデバイスの機能を制御し、かつ、他方のハンドルのトリガーは異なる機能を制御する。本発明はまた、プロセッサーと、外部プロセッサーとの通信用の無線デバイスとを有するデバイスを含むシステムを提供する。【選択図】図１
2020526338.tif 000002
【特許請求の範囲】
【請求項１】
携帯型Ｘ線デバイスであって、当該携帯型Ｘ線デバイスは、
ハウジングを有し、該ハウジングは、内部空間を定めるハウジング壁配置構成と、前記内部空間内で前記ハウジングによって包まれたＸ線生成器およびＸ線管を有し、前記ホージングは、前記ハウジング壁配置構成の一部によって定められた側部壁と、前記ホージング壁配置構成の後方部分によって定められた後部壁を有し；
側部ハンドルを有し、該側部ハンドルは、前記側部壁と一体化した第１端部および前記側部壁と一体化した第２端部、ならびに、前記側部ハンドルの前記第１および第２端部の間にある第１グリップ部を有し；
後部ハンドルを有し、該後部ハンドルは、前記後部壁と一体化した第１端部および前記後部壁と一体化した第２端部、ならびに、前記後部ハンドルの前記第１および第２端部の間にある第２グリップ部を有し；
第１アクチュエータートリガーを有し、該第１アクチュエータートリガーは、前記側部または後部ハンドルのいずれか一方の上に位置しており、前記アクチュエータートリガーは、前記ハンドルのグリップ部に隣接して位置しており、かつ、当該デバイスの放射線機能を制御するように構成されている、
前記携帯型Ｘ線デバイス。
【請求項２】
前記第１アクチュエータートリガーが、前記側部または後部ハンドルの前記いずれかの前記第１端部に隣接して位置しており、かつ、第２アクチュエータートリガーが、前記側部または後部ハンドルの前記いずれかの前記第２端部に隣接して位置している、請求項１に記載の携帯型デバイス。
【請求項３】
前記第１および第２アクチュエータートリガーが、後部ハンドル上に位置しており、前記アクチュエーターはそれぞれ、当該デバイスの前記放射線写真機能を制御するように構成されている、請求項２に記載の携帯型デバイス。
【請求項４】
前記側部ハンドルの前記第１端部に隣接して位置する第３アクチュエータートリガーおよび前記側部ハンドルの前記第２端部に隣接して位置する第４アクチュエータートリガーをさらに有し、前記第３および第４アクチュエータートリガーは、当該デバイスの放射線写真機能を制御するように構成されている、請求項３に記載の携帯型デバイス。
【請求項５】
前記後部ハンドルの前記第１および第２アクチュエーターが、Ｘ線照射を開始させるためのスイッチを提供するように構成されており、かつ、前記側部ハンドルの前記第３および第４アクチュエーターが、当該デバイスから発せられる光の制御を提供して、Ｘ線照射の標的を識別するように構成されている、請求項４に記載の携帯型デバイス。
【請求項６】
前記アクチュエータートリガーがそれぞれ、前記ハンドルの前記グリップ部の端部に位置するボタンを有し、ユーザーが、前記ハンドルを保持するときに前記ユーザーの親指で前記ボタンを操作してもよいようになっている、請求項４に記載の携帯型デバイス。
【請求項７】
前記側部ハンドルが、ユーザーが一方の手で前記側部ハンドルを握って当該デバイスを支持するように当該デバイスの側部に沿って配置されており、かつ、前記後部ハンドルが、ユーザーが他方の手で前記後部ハンドルを同時に握って当該デバイスを支持するような位置に配置されており、かつ、前記アクチュエータートリガーが、前記ユーザーが、当該デバイスを保持しながら各ハンドルの少なくとも１つのトリガーを同時に操作するように位置している、請求項４に記載のデバイス。
【請求項８】
前記ハウジングの前記側部が、前記側部ハンドルに隣接したボイド領域を定めるギザギザの領域を有し、前記ボイド領域は、ユーザーが手を入れて前記側部ハンドルを保持するための空間を提供する、請求項１に記載のデバイス。
【請求項９】
前記ホージングが中心軸を有する側部の長さを有し、該中心軸は、前記長さの前方部分および後方部分を分離しており、前記後部壁が後方部分中心軸を有し、前記側部ハンドルが前記側部の前記前方部分に位置しており、前記後部ハンドルが前記後方部分中心軸に概して沿っている、請求項１に記載のデバイス。
【請求項１０】
前記ハウジングが、前方および後方端部の間にある長さを有し、かつ、前記ハウジングが特徴的な幅を有し、前記側部ハンドルが、少なくとも前記ハウジングの側部の幅の広がりにまたがる軸線に沿った長さを有する、請求項１に記載のデバイス。
【請求項１１】
前記ハウジングの前記後部壁が特徴的な高さを有し、前記後部ハンドルが、少なくとも前記後方部分の特徴的な高さの広がりにまたがる軸線に沿った長さを有する、請求項１０に記載のデバイス。
【請求項１２】
前記側部ハンドルの前記軸線が、前記後部ハンドルの前記軸線と概して平行である、請求項１１に記載のデバイス。
【請求項１３】
主たる本体を有する携帯型Ｘ線デバイスであって、該主たる本体は、特徴的な幅を定める側部壁および前記本体の特徴的な高さを有する後方部分を有し、前記本体は、Ｘ線生成器およびＸ線管を包む内部空間ならびに照射制御プロセッサーを有し、当該携帯型Ｘ線デバイスは；
側部ハンドルを有し、該側部ハンドルは、前記側部壁に隣接しており、かつ、前記側部壁の広がりにわたって延びるハンドル長さを有し、前記側部ハンドルは、第１端部および第２端部を有し、前記端部の間には中間グリップ部があり、前記グリップ部は、ユーザーが前記ハンドルを保持して前記側部壁に隣接した位置にて当該デバイスを支持するように構成されており；かつ、
前記後方部分に隣接して配置された後部ハンドルを有し、前記後部ハンドルは、第１端部および第２端部、ならびに、ユーザーが前記後部ハンドルを保持して当該デバイスの前記後方部分の後部壁に隣接した位置にて当該デバイスを支持するように構成された中間グリップ部を有する、
前記携帯型Ｘ線デバイス。
【請求項１４】
前記側部または後部ハンドルのうちの少なくとも一方の上に位置する第１アクチュエータートリガーをさらに有し、該アクチュエータートリガーは、前記制御プロセッサーに電気的に接続されて、前記側部および後部ハンドルを保持している間に機能の駆動のための制御を提供する、請求項１３に記載の携帯型デバイス。
【請求項１５】
前記側部または後部ハンドルの前記の少なくとも一方の上に位置する第２アクチュエータートリガーをさらに有し、前記アクチュエーターはそれぞれ、グリップ部の各側部に位置している、請求項１４に記載の携帯型Ｘ線デバイス。
【請求項１６】
前記側部ハンドルおよび後部ハンドルがそれぞれ、少なくとも１つのアクチュエータートリガーを備えており、前記側部ハンドルの前記の少なくとも１つのアクチュエータートリガーは、当該デバイスの第１の機能を駆動させるように構成されており、かつ、前記後部ハンドルの前記の少なくとも１つのアクチュエータートリガーは、当該デバイスの第２の機能を駆動させるように構成されており、各ハンドルの前記の少なくとも１つのアクチュエータートリガーは、前記の各々のハンドルの前記グリップ部に隣接して位置しており、かつ、前記ハンドルを保持するユーザーによって押されるようにユーザーのために露出している、請求項１３に記載の携帯型Ｘ線デバイス。
【請求項１７】
各ハンドルの前記の少なくとも１つのトリガーが、ユーザーが各ハンドル上に手を置いて当該デバイスを保持しながら前記の第１および第２の機能を駆動させることを可能にする構成にて位置している、請求項１６に記載の携帯型Ｘ線デバイス。
【請求項１８】
さらに、第１および第２アクチュエータートリガーが、前記側部ハンドルの前記グリップ部の各側部上に位置しており、かつ、それぞれが当該デバイスの第１の機能を駆動させるように構成されており；
第３および第４アクチュエータートリガーが、前記後部ハンドルの前記グリップ部の各側部上に位置しており、かつ、それぞれが当該デバイスの第２の機能を駆動させるように構成されており；
前記側部ハンドルの前記第１および第２トリガーのうちの少なくとも一方が、ユーザーが前記側部ハンドルを保持している手の親指で前記の第１の機能を駆動させる位置にあり、前記後部ハンドルの前記第３または第４トリガーのうちの少なくとも一方が、ユーザーが前記後部ハンドルを保持している手の親指で前記の第２の機能を駆動させる位置にある、
請求項１６に記載の携帯型Ｘ線デバイス。
【請求項１９】
前記側部ハンドルの各トリガーが、電気的な接続を用いて当該デバイスの前方から発する光を制御するように構成されており、かつ、前記後部ハンドルの各トリガーが、電気的な接続を用いて当該デバイスによるＸ線照射を駆動させるように構成されている、請求項１６に記載の携帯型デバイス。
【請求項２０】
前記側部ハンドルが前記側部壁と一体化しており、かつ、前記後部ハンドルが前記後部壁と一体化している、請求項１３に記載の携帯型Ｘ線デバイス。
【請求項２１】
前記側部ハンドルの前記第１および第２端部がそれぞれ前記側部壁に固定されており、かつ、前記後部ハンドルの前記第１および第２端部がそれぞれ前記後部壁に固定されている、請求項１９に記載の携帯型デバイス。
【請求項２２】
前記ハウジングが、前記側部ハンドルに隣接したギザギザの部分を有し、ユーザーが前記側部ハンドルの前記グリップ部を握るためのアクセスのためのボイド領域を提供する、請求項１３に記載の携帯型デバイス。
【請求項２３】
前記の主たる本体が、前方端部および後方端部の間に本体長さを有し、前記側部ハンドルの前記グリップ部が、当該デバイスの前記前方端部に隣接して位置しており、かつ、前記後部ハンドルが、前記の主たる本体を越えて延びている、請求項１３に記載の携帯型デバイス。
【請求項２４】
前記の主たる本体が、前記本体の中央に中心線を有する長さを有し、前記前部ハンドルが前記前方端部と前記中心線との間に配置されており、かつ、前記後部ハンドルが、前記中心線からある程度離れて配置されている、請求項２３に記載の携帯型デバイス。
【請求項２５】
前記の主たる本体が、前方端部と後方端部との間に全体長さを有し、かつ、前記側部ハンドルの前記グリップ部が、前記後部ハンドルの前記グリップ部から距離を置いて配置されており、前記グリップ部間の前記距離が、前記本体の長さの半分より大きい、請求項１３に記載のデバイス。
【請求項２６】
支持ストラップコネクターが、前記側部ハンドルの各端部および前記後部ハンドルの各端部に隣接して配置されている、請求項１３に記載のデバイス。
【請求項２７】
細長い側部壁配置構成および後部壁を有する主たる本体を有する携帯型Ｘ線デバイスであって、前記本体は、Ｘ線生成器およびＸ線管を包む内部空間ならびに制御プロセッサーを有し、当該携帯型Ｘ線デバイスは；
前記側部壁の広がりに隣接して位置する細長い第１グリップ部を有する側部ハンドルを有し；
前記後部壁に隣接して位置する細長い第２グリップ部を有する後部ハンドルを有し；
前記側部ハンドルまたは後部ハンドルのいずれかの前記グリップ部の両方の端部に配置されたアクチュエータートリガーのペアを有し、前記アクチュエータートリガーはそれぞれ、ユーザーが前記側部および後部ハンドルの前記グリップ部にて当該デバイスを保持しながら当該デバイスの機能を制御するためのスイッチとして構成されている、
前記携帯型Ｘ線デバイス。
【請求項２８】
前記側部または後部ハンドルの他方の前記グリップ部の両方の端部に配置されたアクチュエータートリガーの第２のペアをさらに有し、前記のアクチュエータートリガーの第２のペアはそれぞれ、ユーザーが前記側部および後部ハンドルの前記グリップ部を保持しながら当該デバイスの機能を制御するためのスイッチとして構成されている、請求項２７に記載の携帯型デバイス。
【請求項２９】
前記のアクチュエータートリガーの第１のペアが、前記側部ハンドル上に配置されており、かつ、Ｘ線照射領域を定めるために当該デバイスの機能を制御するように構成されており、前記のアクチュエータートリガーの第２のペアが、前記後部ハンドル上に配置されており、かつ、Ｘ線照射の駆動を制御するように構成されており、ユーザーが、両方のハンドルにて当該デバイスを保持しながら当該デバイスの両方の機能を同時に作動させてもよいようになっている、請求項２８に記載の携帯型デバイス。
【請求項３０】
前記の主たる本体が、前記後部壁と当該デバイスの前方端部との間に本体長さを有し、前記側部ハンドルが、当該デバイスの前記前方端部に隣接して配置されており、かつ、前記後部ハンドルが前記の主たる本体を越えて延びている、請求項２７に記載の携帯型デバイス。
【請求項３１】
前記側部壁配置構成が、略平面セグメントおよびギザギザのセグメントを有し、前記のギザギザのセグメントは、前記側部ハンドルに隣接した当該デバイスの前記前方端部に隣接して配置されている、請求項３０に記載の携帯型デバイス。
【請求項３２】
前記の主たる本体が、前記本体の中央に中心線を有する長さを有し、前記前部ハンドルが、前記前方端部と前記中心線との間に配置されており、かつ、前記後部ハンドルが、前記中心線からある程度離れて配置されている、請求項３０に記載の携帯型デバイス。
【請求項３３】
前記側部ハンドルの前記グリップ部および前記後部ハンドルの前記グリップ部が、分離距離にて位置しており、前記分離距離は、前記本体の長さの半分より大きい、請求項３２に記載のデバイス。
【請求項３４】
携帯型手持ちＸ線デバイスであって、当該携帯型手持ちＸ線デバイスは；
前方端部および後方端部を有する主たる本体を有し、
前記の主たる本体の側部に沿った前記前方端部に隣接して配置されたグリップ部を有する側部ハンドルを有し、前記グリップ部は、軸に沿う細長い広がりを有し、かつ、ユーザーが当該Ｘ線デバイスを用いながら前記側部グリップ部を第１の手で保持するように構成されており；
前記後方端部に隣接して配置されたグリップ部を有する後部ハンドルを有し、前記後部グリップ部は、軸に沿う細長い広がりを有し、かつ、ユーザーが当該Ｘ線デバイスを用いながら前記後部グリップ部を第２の手で保持するように構成されており；
前記側部および後部グリップ部は、ユーザーが、前記側部ハンドルが左側にあっても右側にあっても、当該デバイスを保持してもよいように位置している、
前記携帯型手持ちＸ線デバイス。
【請求項３５】
前記ハンドルのうちの少なくとも一方が、前記グリップ部の前記の細長い広がりの各端部に配置されたアクチュエータートリガーを有し、かつ、前記アクチュエータートリガーはそれぞれ、ユーザーが前記ハンドルの前記グリップ部を保持することによって当該デバイスを支持しながら当該デバイスの機能を制御するためのスイッチを提供するように構成されている、請求項３４に記載のデバイス。 
【請求項３６】
前記アクチュエータートリガーが、前記ハンドルの前記グリップ部の前記軸に対して角度をなして位置しているプラットフォーム上にあるボタンを有する、請求項３５に記載のデバイス。
【請求項３７】
前記のアクチュエータートリガーの第１のペアが、前記側部ハンドル上に配置されており、かつ、当該デバイスの機能を制御するように構成されており、アクチュエータートリガーの第２のペアが、前記後部ハンドル上に配置されており、かつ、当該デバイスの第２の機能を制御するように構成されており、前記アクチュエータートリガーはそれぞれ、前記の各々のハンドルの前記グリップ部の前記軸に対して角度をなして位置するボタンを有する、請求項３５に記載の携帯型デバイス。
【請求項３８】
携帯型Ｘ線システムであって、当該携帯型Ｘ線システムは；
内部空間を有するハウジングを有する携帯型Ｘ線デバイスを有し；
前記ハウジングの前記内部空間内にあるプロセッサーおよびＸ線コンポーネントを有し、前記プロセッサーは、少なくとも１つのＸ線コンポーネント、および、前記デバイスと関連付けられた無線通信デバイスと電気的に通信しており；
前記Ｘ線デバイスの近くに配置されたオペレーターコンピューターを有し、該オペレーターコンピューターは、前記コンピューターと前記デバイスとの間の無線通信のためのものであり、かつ、前記オペレーターコンピューターから信号を受け取るように構成された遠隔地通信デバイスを有し、前記遠隔地通信デバイスにて受け取られる前記信号は、前記デバイスによって生成され、かつ、前記オペレーターコンピューターを通して中継され、
前記遠隔通信デバイスは、遠隔地プロセッサーと通信するように構成されており、前記遠隔プロセッサーは、前記オペレーターコンピューターへと送達され、かつ、前記デバイスの前記ハウジング内の前記プロセッサーへと中継される信号を生成するように構成されている、
前記携帯型Ｘ線システム。
【請求項３９】
当該システムが、前記デバイスと遠隔コンピューターとの間の双方向通信を有し、前記ハウジング内の内部通信デバイスが、前記オペレーターコンピューターの無線通信デバイスに無線接続されており、かつ、前記オペレーターコンピューターが、前記遠隔地プロセッサーの通信デバイスと通信しており、かつ、前記遠隔地プロセッサーが、前記デバイスを用いて信号を送り、かつ、受け取るように構成されており、かつ、前記デバイスの１つ以上のパラメーターを変更するように構成されている、請求項３８に記載のシステム。
【請求項４０】
前記Ｘ線コンポーネントのうちの少なくとも１つが、前記ホージング内の前記プロセッサーと通信している高周波Ｘ線生成器であり、かつ、前記遠隔地プロセッサーが、前記Ｘ線生成器の作動パラメーターを変更するために前記携帯型デバイスへと信号を送るように構成されている、請求項３９に記載のシステム。
【発明の詳細な説明】
【技術分野】
【０００１】
背景
医学的および獣医学的用途で用いられるＸ線デバイスは、いくつかのコンポーネントを有し、該いくつかのコンポーネントはしばしば、別個のハウジングまたはデバイスに収容されており、かつ、デバイスの機能のために電気的に接続されている。かかるデバイスは運搬しにくく、かつ、遠隔地での使用によく適合しないか、または、携帯型Ｘ線デバイスの場合には、かさばり、かつ、所定の位置で保持すること、および、使用のために適切な位置でデバイスを使用するために操作することが困難である。ほとんどの場合、かかる携帯型デバイスは、デバイスを保持するための一体式のハンドルを有しておらず、代わりに、デバイスを使用し、かつ、移動させるために、または、デバイスを運搬装置もしくはブームアームに取り付けてデバイスを所定の位置に保持するためにオペレーターによって掴まれる大きいＵ字形ブラケットの取り付けに頼る。かかるデバイスは、デバイスの本体を横切るようにまたぐ大きいハンドルを備えるときには、Ｘ線機能のために操作すること、および、デバイスの前方部分に狙いをつけることがユーザーにとってしばしば困難である。これらのデバイスもまた、貯蔵および輸送にとってかさばり、または、デバイスが使用されないときには取り外されるハンドルを必要とするであろう。
【背景技術】
【０００２】
かかる典型的なデバイスの例としては、Ｓｅｄｅｃａｌ（スペイン）、ＤＲＥ  Ｖｅｔｅｒｉｎａｒｙ、Ｐｏｄｏｂｌｏｃｋ  ＢＶ、Ｅｉｃｋｅｍｅｙｅｒなどのような会社による獣医学的使用および馬術（ｅｑｕｅｓｔｒｉａｎ）のための使用のために販売されている会社の携帯型Ｘ線デバイスが挙げられる。典型的には、これらのデバイスは、Ｘ線を駆動させるための別個の制御スイッチが、デバイスの主たるハウジングに接続されたケーブルに繋がれ、そのことによって、標的上でＸ線照射フィールドの位置合わせをするために主たる本体を所定の位置へと操作することの困難性を増大させ、同時に、繋がれたトリガー機構（典型的には、ケーブルによって主たる本体に接続された親指で押すスイッチとしての）を用いてＸ線照射のために設備を駆動させることの困難性を増大させる構造を利用する。標的上のＸ線の光学的位置合わせのためのこの設備を用いることの困難性は、設備のオペレーターが例えばデバイスと関連付けられたコリメーターライトアセンブリーを調整して照射フィールドを限定しようとするときにはいっそう大きい。さらに、デバイスの本体を横切るようにまたぐ大きいＵ字形ヨークのような大きい取り付けられたハンドルアセンブリーを利用するかかるデバイスは、容易かつ正確に位置合わせされ得ない。なぜなら、ユーザーが、デバイスを保持し、かつ、移動させるためのグリップ位置を１つしか有さないからであり、該グリップ位置は、典型的にはデバイス位置合わせの両手での操作を提供しないデバイス本体の一部を横切る。代わりに、オペレーターは、片手のみでデバイスを保持しなければならず（大きいＵ字形ハンドルにて）、かつ、デバイスまたはヨーク様ハンドルと一体ではない繋がれた駆動スイッチを保持するために他方の手を用いる。さらに、かかる通常用いられるデバイスがスタンドまたはブーム支持構造に取り付けられるときには、ハンドルは取り付けられ得ず、その意図した使用のためのデバイスの操作および位置合わせが困難である別の状況を作り出す。
【０００３】
典型的な携帯型Ｘ線デバイスのこれらの困難性およびその他の困難性に照らして、改善が必要とされており、かつ、Ｘ線デバイスのいっそう適切な構造および操作方法が望まれている。本発明は、Ｘ線デバイスの構造および操作の進歩を表す（とりわけ、獣医学的用途および馬術のための用途、または、技術者による使用の最適な容易さとともに携帯性が必要とされるその他の用途に有用な手持ちの携帯型デバイスについて）。
【発明の概要】
【０００４】
概要
本発明は、例えば医学的または獣医学的用途（とりわけ、馬術のためのＸ線診断）に用いられてもよい携帯型Ｘ線デバイスに関する。本発明のある態様によれば、当該Ｘ線デバイスは、側部ハンドルおよび後部ハンドルを有するハウジングを有し、各ハンドルは、デバイスを所定の位置に保持し、かつ、Ｘ線についてデバイスに狙いをつけるときのユーザーによる操作に適した位置にトリガーとインジケーターライトを有する。トリガーは、オペレーターによって操作される位置に、ハンドルおよびハウジングに対して角度をなして配置されたプラットフォーム上に位置する各ハンドルの各端部に配置されており、かつ、一方のハンドル上のトリガーが当該デバイスのある機能のために駆動されてもよく、かつ、他方のハンドルのトリガーがデバイスの別の機能のために駆動されてもよい。本発明はまた、携帯型Ｘ線デバイスの使用のためのシステムを提供し、当該システムは、内部コンポーネントおよびプロセッサーを含むデバイス、プロセッサーとの間の電気信号のための無線通信デバイスならびにオペレーターコンピューターを含んでおり、プロセッサーは、オペレーターコンピューターとの通信を通して遠隔コンピューターと通信している。
【０００５】
いっそう具体的には、本発明は携帯型Ｘ線デバイスに関し、当該携帯型Ｘ線デバイスは、内部空間を定めるハウジング壁配置構成を有するハウジング、内部空間内でハウジングによって包まれたＸ線生成器（ｘ−ｒａｙ  ｇｅｎｅｒａｔｏｒ）およびＸ線管を有する。ハウジングは、ハウジング壁配置構成の一部によって定められた側部壁およびホージング配置構成の後方部分によって定められた後部壁を有する。側部壁と一体化した第１端部と側部壁と一体化した第２端部を有する側部ハンドルは、側部ハンドルの第１端部および第２端部との間にある第１グリップ部を有する。後部壁と一体化した第１端部と後部壁と一体化した第２端部を有する後部ハンドルは、後部ハンドルの第１端部および第２端部との間にある第２グリップ部を有する。側部ハンドルおよび後部ハンドルの各端部上には、第１アクチュエータートリガーが位置しており、該アクチュエータートリガーは、ハンドルのグリップ部に隣接して位置しており、かつ、当該デバイスの放射線機能を制御するように構成されている。アクチュエータートリガーはそれぞれ、好ましくは、オペレーターが彼または彼女の親指でトリガーを押すのに適した様式でトリガーの位置決めをするための角変位を有するハンドルのプラットフォーム上に配置されている。本発明にとって好ましくは、ハウジングは、側部ハンドルに隣接したボイド領域を定めるギザギザの（ｉｎｄｅｎｔｅｄ）領域を有し、ユーザーが手を入れて側部ハンドルを保持するための空間を提供する。後部ハンドルは、好ましくは、デバイスハウジングの端部の中央領域に沿って位置合わせされており、かつ、当該デバイスの後部壁から離間したグリップ部を有し、ユーザーが後部ハンドルを保持するための空間を提供する。
【０００６】
本発明は、プロセッサーおよびＸ線コンポーネントを保持する内部空間を有するハウジングを含む携帯型Ｘ線デバイス用のシステムを提供する。プロセッサーは、少なくとも１つのＸ線コンポーネントと、デバイスと関連付けられた無線通信デバイス（好ましくは、携帯型デバイスの位置に、または、携帯型デバイスの位置の非常に近くに概して配置される別個のオペレーターコンピューター）と電気的に通信している。オペレーターコンピューターは、デバイスと、オペレーターコンピューターから信号を受け取るように構成された遠隔通信デバイスと無線通信している。遠隔地において受け取られる信号は、携帯型Ｘ線デバイスによって生成され、かつ、オペレーターコンピューターを通して中継され、かつ、遠隔地プロセッサーによって生成される信号は、オペレーターコンピューターを通してデバイスへと中継される。このシステムのある実施形態では、オペレーターコンピューターは、手持ちのＸ線デバイス内のプロセッサーと遠隔コンピューターのプロセッサーとの間の通信リンクを提供し、遠隔地プロセッサーとＸ線デバイスとの間の通信リンクを提供し、Ｘ線デバイスプロセッサーへと送達される、デバイスの１つ以上のパラメーターを変更する（例えば、Ｘ線生成器のパラメーターの調整）ようにとのコマンドを含む。
【０００７】
本発明の原理が採用されてもよい種々の方式を示す説明的な実施形態を規定する、以下の詳細な説明および添付図面から、本発明のいっそう良好な理解が得られるであろう。
【図面の簡単な説明】
【０００８】
【図１】図１は、本発明のある実施形態による携帯型Ｘ線デバイスの立面斜視図であり、側部ハンドルアセンブリーおよび後部ハンドルアセンブリーを有する主たる本体を示している。
【図２】図２は、図１に示されている本発明の実施形態の側面図である。
【図３】図３は、図１に示されている本発明の実施形態の底面図である。
【図４】図４は、図１に示されている本発明の実施形態の、図３の図とは反対側の平面図である。
【図５】図５は、図２の図とは反対側の、図１に示されているデバイスの側面図である。
【図６】図６は、図５に示されている側面上の側部壁に隣接して固定された取り外し可能なバッテリーの分解図を示すデバイスの立面図である。
【図７】図７は、図１に示されているデバイスの背面図である。
【図８】図８は、図１の図と同様の立面斜視図であり、オペレーターの左手で側部ハンドルアセンブリーを握り、かつ、オペレーターの右手で後部ハンドルアセンブリーを握るオペレーターによるデバイスの操作と、デバイスハウジングの上へと延びるように接続されたストラップを示している。
【図９】図９は、図８における位置から１８０度回転したデバイスの立面斜視図であり、オペレーターの右手で側部ハンドルアセンブリーを握り、かつ、オペレーターの左手で後部ハンドルアセンブリーを握るオペレーターによるデバイスの使用と、デバイスハウジングの上へと延びるように接続されたストラップを示している。
【図１０】図１０は、本発明のデバイスコンポーネントおよび操作システムを識別するブロック図であり、本発明によるコンポーネントおよび構造の識別ならびにデバイスの通信および操作方法ならびにシステムの相対位置を含んでいる。
【図１１】図１１は、本発明のデバイスコンポーネントおよび操作システムを識別するブロック図であり、本発明によるコンポーネントおよび構造の識別ならびにデバイスの通信および操作方法ならびにシステムの相対位置を含んでいる。
【０００９】
本発明の説明的かつ例示的な実施形態が、図面を参照して、かつ、図面と併せて以下でさらに詳細に記載される。
【発明を実施するための形態】
【００１０】
詳細な説明
以下の説明は、本発明の１つ以上の実施形態をその原理にしたがって記載、説明および例示する。この説明は、本発明を本明細書に記載の実施形態に限定するために提供されるのではなく、むしろ、本発明の原理を説明および教示して当業者がこれらの原理を理解することを可能にし、かつ、かかる理解をもって、それらを適用して本明細書に記載の実施形態だけでなく、これらの原理にしたがって心に浮かぶ任意のその他の実施形態も実施することを可能にするために提供される。本発明の範囲は、文言上または均等論の下のいずれかで添付の請求の範囲に属するであろうすべてのかかる実施形態を包含することを意図する。
【００１１】
説明および図面では、同様の要素または実質的に類似する要素は、同じ参照数字でラベル付けされていることが注目されるべきである。しかしながら、かかるラベル付けがいっそう明確な説明を容易にする場合には、これらの要素が異なる数字または通し番号でラベル付けされることもある。さらに、本明細書において説明される図面は、必ずしも縮尺通りに描かれておらず、かつ、特定の特徴をいっそう明確に描くために割合が強調されている場合もある。上記のように、本明細書は、本明細書において教示された本発明の原理にしたがって全体として考慮および解釈され、かつ、当業者によって理解されることを意図する。
【００１２】
本願では、離接語の使用は接続語を含むことを意図する。定冠詞または不定冠詞の使用は、カーディナリティ（ｃａｒｄｉｎａｌｉｔｙ）を示すことを意味しない。具体的には、「前記（ｔｈｅ）」物体または「ある（ａ）」および「ある（ａｎ）」物体への言及は、考え得る複数のかかる物体のうちの１つもまた示すことを意図する。
【００１３】
図１は、本発明のある実施形態による携帯型Ｘ線デバイス２を描いており、デバイス２は、内部空間を定めるハウジング壁配置構成６を有するハウジング４を有する。ハウジングの内部空間８内には、デバイス２の作動コンポーネント１０があり、作動コンポーネント１０は、Ｘ線生成器１２およびＸ線管１４を含んでおり、かつ、発光方向設定（ｔａｒｇｅｔｉｎｇ）コンポーネントもまた含んでいる。好ましい実施形態では、ハウジング４は、ハウジング壁配置構成６に一部によって定められた側部壁とホージング壁配置構成６の後方部分によって定められた後部壁１８を含む壁構造によって定められている。さらに、好ましい実施形態では、ハウジング壁配置構成６は、Ｘ線デバイス２の機能的コンポーネント１０を保持する全体的な単一の内部空間８を有するハウジングを形成し、ハウジング４が、好ましくは、一つに固定されたコンポーネントの別個のハウジングではなく全体的なユニボディ（ｕｎｉ−ｂｏｄｙ）構成として形成されるようになっている。図示されている実施形態のこの態様では、ハウジング４の外形寸法は、略前方ウェッジ形状にて形成されて、ユーザーがデバイス２の方向的狙いを有することを容易にしてもよい。なぜなら、ユーザーが、標的に向けてＸ線の狙いを方向付けながら、デバイス２の後方部分に位置して、かつ、当該デバイスを保持しているからである。例えばデバイスハウジング４の後方端部２２に対していっそう小さい前方端部２０を示している図５に示されるような、図面に示されている実施形態のこの態様は、ユーザーが、空いている方の手でデバイス２を保持し、かつ、本明細書に記載のトリガーを駆動させることによってデバイス２の機能を始動させながらデバイス２の狙いをつける向上した能力を提供する。
【００１４】
本発明のデバイス２は、側部ハンドル２４と後部ハンドル２６を含んでいる。側部ハンドル２４は、好ましくは、側部壁と一体化した第１端部２８および第２端部３０を有し、かつ、第１端部および第２端部（２８，３０）の間には、側部ハンドル２４のグリップ部３２がある。このことは、ユーザーが、好ましくはデバイス２の側部壁から適切な近距離にて、デバイス２の側部に隣接した（すなわち、側部壁１６に隣接した）ハンドル２４を握るための第１グリップ部３２を提供して、デバイス２の狙いをつけるユーザーの正確性を促進する。図面に示されている好ましい実施形態では、側部ハンドル２４は略Ｕ字形ハンドルであり、該Ｕ字形の各端部は、ハウジング４と一体的に固定されており、そうでなければハウジング４と一体的に形成されており、側部ハンドル２４のグリップ部がハウジング４の側部壁から約４インチ未満（約１０ｃｍ未満）の範囲に配置されるようになっている。好ましい実施形態では、図面に示されているように、ハウジング４の側部壁１６は、側部ハンドル２４に隣接した凹部領域３４を含んでおり、ユーザーが側部ハンドル２４のグリップ部３２の上に手を置くための空間を提供するように構成されたボイド領域３６を提供している。図１〜４および８〜９に示されているように、デバイス２の側部における凹部３４は内向き凹部であり、好ましくは側部壁１６の特徴的な平面３８の広がり（ｅｘｔｅｎｔ）の湾曲した凹部から形成されている−すなわち、凹部３４は、デバイス２の前方端部２０と後方端部２２との間の位置にハウジング４の側部壁１６の内側に方向付けられた領域によって形成されている。凹部３４は、中心線（ｍｉｄ−ｌｉｎｅ）４０とデバイス２の前方（または近位）端部２０との間のデバイス２の前方部分に配置されている。この配置構成は、ハウジング４の長さの前方部分に配置された、側部ハンドル２４に隣接したボイド領域３６にとって好ましい位置を提供する。凹部３４に隣接した側部ハンドル２４のグリップ部３２もまた、ハウジング４の長さの前方部分に配置されている（中心線４０と近位（前方）端部２２との間の位置にても）。前記ハンドル２４およびハウジング４の長さの前半分における隣接したボイド領域３６の位置は、デバイス２のオペレーターがＸ線の位置合わせのためにデバイスを操作するのに有益な位置に、アクセス可能なグリップ部３２を提供する。
【００１５】
ハウジング４の後方端部２２（遠位端部）に位置する後部ハンドル２６は、第１端部４２および第２端部４４から形成されたハンドル２６であり、好ましくは少なくとも第１端部４２が後部壁１８と一体化している。後部ハンドル２６は、その第１端部４２と第２端部４４との間にグリップ部４６を有し、グリップ部４６は後部壁１８からある程度離れて配置されている。図面に示されている実施形態では、後部ハンドル２６は、略Ｕ字形本体として形成された少なくとも一部を有し、後部ハンドル２６の各端部（４２，４４）は、デバイス２の後部壁１８に固定されたハンドル２６の両方の端部（４２，４４）を有するものとして示されている、デバイス２の後部２２に一体的に取り付けられている。代替的な実施形態では、側部ハンドル２４および後部ハンドル２６はそれぞれ、略Ｌ字形本体として形成されていてもよく、一方の端部が壁（１６，１８）と一体的に固定されており、各ハンドル（２４，２６）のグリップ部（３２，４６）がしたがって壁（１６，１８）から離間しており、グリップ部（３２，４６）とハウジング４の壁との間にボイド領域（３６，４８）を提供する。この配置構成は、ユーザーが手を置いて各ハンドル（２４，２６）を保持するためのボイド領域（３６，４８）を提供する。さらに、代替的な実施形態では、後部壁１８は凹部を含んで、本発明の主たる目的に沿いながら、側部ハンドル２４のものと同様の後部ハンドル２６のグリップ部４６に隣接したボイド領域４８の全部または一部を提供してもよい。
【００１６】
本発明のある態様によれば、ハンドルは、用時に近位端部２０および遠位端部２２を互いに対して操作してデバイス２の狙いをつけるユーザーの能力を促進する位置にある。図面に示されている好ましい実施形態では、デバイス２の長さの前方部分５０における側部ハンドル２４および後部壁１８から距離を置いて配置されたグリップ部を有する後部ハンドル２６の構造は、一緒になって中心線４０のいずれかの側にユーザーがデバイス２を握るためのグリップ領域（３２，４６）を提供し、したがって概してハウジング４の中間領域５４におけるデバイスの重心にある支点５２のそれぞれの側にグリップ位置を提供する。本発明のこの態様は、図３〜４および８〜９に示されているように、第１ハンドル２４が前方部分５０に配置され、かつ、第２ハンドル２６がデバイス２の後方部分２２において距離１０２だけ離れて配置され、２つのハンドルの間の支点５２がデバイス２の中間領域５４にあり、ユーザーが標的上にＸ線を方向付けるための位置合わせのためにデバイス２を傾けることを可能にする、デバイス２のアセンブリーの部品について望ましい相対距離を提供する。本発明の構造は、デバイス２が、第１ハンドルが上面に配置されるように保持されるか（図３〜４）、第１ハンドルが側面に沿って位置するように保持されるか（図８〜９のように）に関わらず、中心支点５２のいずれかの側に、そのような握り領域（３２，４６）を提供する。
【００１７】
本発明の有意な態様は、ユーザーが、Ｘ線照射のための望ましい位置合わせにてＸ線デバイス２を保持および操作しながらデバイス２の機能的コンポーネント１０を駆動させるためのアクセスを提供する。このことは、少なくとも一方のハンドル（好ましくは、両方のハンドル）のグリップ部（３２，４６）に隣接して配置された少なくとも１つの駆動トリガー５６によって提供される。好ましい実施形態では、側部ハンドル２４のグリップ部の各側部上および後部ハンドル２６のグリップ部４６の各側部上に、アクチュエータートリガー５６が配置されている。各トリガー５６は、デバイス２の放射線機能の態様を制御するように構成されている。一方のトリガー５６によって制御される機能としては、（ａ）前方／近位端部２２から発せられる光を生成して意図したＸ線照射の標的フィールドを照らすためのコリメーターライト６２の駆動、（ｂ）前方端部２２から発せられるレーザーを生成するためのレーザー６４の駆動、（ｃ）Ｘ線生成器１２および／またはＸ線管１４の機能をオンにすることによるＸ線照射自体の駆動のような、かかるＸ線デバイス２の典型的機能のうちの１つ以上が挙げられてもよい。好ましい実施形態では、各トリガー５６は、ボタンを押してデバイス２の異なる機能を順に駆動させるための多数の段階を提供するように適合した、ボタンタイプのトリガー機構であってもよい。例えば、好ましい実施形態では、ユーザーの親指によって操作／駆動されるように位置するハンドルグリップ部に隣接して、ボタンタイプのトリガー５６が位置しており、トリガーは、コリメーターライト５２を駆動させて標的領域を照らすための第１レベルおよび前方端部２２から発するレーザーライト６４を駆動させてＸ線領域の標的を提供するための第２レベルへと押されるように構成されている。ユーザーの親指による操作のためのハンドルのグリップ領域に隣接して位置する代替的なトリガー構造は、Ｘ線機能を駆動させるためのものであってもよく、トリガーが第１の位置へと押されてＸ線生成器１２の準備ができた状態の指標を提供するように構成されており、その後で第２の位置へと押されてＸ線照射を駆動させてもよいようになっている。
【００１８】
図示されている実施形態では、ハンドルの第１端部に隣接して第１アクチュエータートリガー５６が位置し、かつ、ハンドルの第２端部に隣接して第２アクチュエータートリガー６０が位置し−ハンドルのグリップ部の各側部上に配置されたトリガーを提供し、ハンドル上のかかるトリガーはそれぞれ、デバイス２の同じ機能を駆動させるように構成されている。特定のハンドル（側部ハンドル２４または後部ハンドル２６のいずれか）の各トリガー５６は、好ましくは、デバイス２の同じ機能を駆動させるように構成されており、ユーザーが、ハンドルを右手で保持するか左手で保持するかに関わらず作動コンポーネント１０の機能を駆動させてもよいようになっている（図８および９）。したがって、本発明の好ましい実施形態では、各ハンドル（側部および後部ハンドル）はトリガー５６のペアを有し、各トリガーは、ハンドル２４，２６の端部（２８，３０）（４２，４４）に隣接して配置され、ユーザーがハンドル２４，２６のグリップ部３２，４６にてデバイス２を保持するので、ユーザーによる多数の機能の駆動を提供する。好ましい実施形態では、ユーザーの右手または左手によって握られる一方で、駆動されるようにグリップ部３２の各側部上に配置された側部ハンドル２４のトリガー５６は、Ｘ線照射についての標的を定めるための機能を制御するように構成されている−コリメーターライトおよびレーザー発光アセンブリー。同様に、この実施形態では、後部ハンドル２６のグリップ部４６の各側部上に配置されたトリガーはそれぞれ、上記の作動コンポーネント１０の機能（デバイス２の準備ができた状態を識別して、プロセッサー１３４への信号を通して生成器１２およびＸ線管１４によってＸ線照射を駆動させる）のようなＸ線照射を開始することと関連付けられた機能を駆動させるように構成されている。この様式では、デバイス２は、後部ハンドル２６のグリップ部４６の各側部上に位置する第１および第２アクチュエータートリガーを有し、各アクチュエータートリガーは、デバイス２の第１の機能を制御するように構成されており、かつ、デバイス２は、側部ハンドル２４のグリップ部３２の端部に隣接して位置するアクチュエータートリガーの別のペアを有し、各アクチュエータートリガーは、デバイス２の第２の機能を制御するように構成されている。
【００１９】
いっそう具体的には、後部ハンドル２６に配置されたトリガーのペア（５８，６０）は、電気的な接続を用いて、生成器１２の機能を駆動させ、かつ、Ｘ線管１４の駆動をもたらすことによって、Ｘ線照射の駆動を制御するように構成されている（すなわち、Ｘ線アクチュエータートリガー）。側部ハンドル２４に配置されたトリガーのペア（５８，６０）は、電気的な接続を用いて、コリメーターライト（６２）およびレーザー６４を含む前方端部２０における方向設定コンポーネントの駆動を制御するように構成されている（すなわち、方向設定トリガー）。各トリガー５６に隣接して配置されたインジケーターライト６６は、デバイス２のこれらの記載された機能の準備ができていること、および／または、駆動の指標を提供するように構成されている。各インジケーターライト６６は、すぐ隣のトリガー５６と関連付けられた少なくとも１つの機能の準備ができていること、および／または、駆動の指標を提供するように構成されている。図１１に示されているように、中央プロセッサー１３４が、各トリガー５６およびインジケーターライト６６に電気的に接続されており、電気的な接続は、トリガー５６からプロセッサーによって信号を受け取り、かつ、インジケーターライト６６へと信号を伝えるように構成されている。
【００２０】
ハンドル（２４，２６）上に配置された各アクチュエータートリガー（５８，６０）は、好ましくは、上記の種々のレベルへとユーザーの親指によって押されてもよいボタンタイプトリガー５６である。この位置決めは図８および９に示されており、該図では、ユーザーが、デバイス２の機能を駆動させるためにグリップ部３２の親指領域に隣接して配置されたトリガーを常に持ちながら、彼または彼女の左手（図８）または右手（図９）で側部ハンドル２４を保持していてもよい。ユーザーは、そのときにはまた、他方の手で後部ハンドル２６を保持していてもよく、かつ、デバイス２の機能の駆動のために、グリップ部４６の親指領域に隣接して、アクチュエータートリガー５８，６０が配置されている。インジケーターライト６６は、オペレーターが隣接したトリガーと関連付けられた機能に関する情報を受け取るために、各トリガー５８，６０に隣接して配置されている。インジケーターライト６６は、上記のプロセッサーと電気的に通信するように構成されており、かつ、任意選択的には、ハウジング４内の内部コンポーネントと電気的に通信して、コンポーネントの準備ができたこと、または、駆動の直接的な指標を受け取ってもよい。
【００２１】
上記され、かつ、図面に示されている構造は、デバイス２が図３および４に示されているようにデバイス２の上部または上面において側部ハンドル２４を用いて保持されるように操作される配置構成を含む、図８および９に示されているもの以外の配向でデバイス２を保持するために適切なトリガー位置を提供するのに好ましい。かつ、オペレーター／ユーザーによるデバイス２の位置に関わらず、アクチュエータートリガーが、オペレーターの親指によって押されるのに適した位置にあり、かかるトリガー５６に隣接したインジケーターライト６６が、オペレーターによって観察される位置にある。
【００２２】
ストラップコネクター７０もまた、ハンドル（２４，２６）の少なくとも一方の端部に隣接して好適に提供され、したがって、デバイス２の位置決めに関わらず、各ハンドル２４，２６におけるストラップ７４の端部７２についての接続を提供する。この実施形態では、デバイス２の上側にはストラップ７４が配置されて、図８に示されているように位置するか（後部ハンドル２６の主たる作動トリガーの右手での使用）、図９に示されているように位置するか（後部ハンドル２６の主たる作動トリガーの左手での使用）に関わらず、デバイス２を所定の位置で保持する。好ましい実施形態では、図面に示されているようなループまたは同様のレシーバーのようなコネクター７６が、嵌合ループ、ラッチまたは突起を受け取ってストラップ７４の端部７２をコネクター７０に固定するために提供される。嵌合バックル、ねじ式ファスナー、ソケットコネクター、または、摩擦係合を提供してストラップ７４の端部７２をハンドルの端部に隣接したデバイス２に固定するその他のかかる嵌合部品のような、ストラップ７４をコネクター７０に固定するための代替的な手段が用いられてもよい。
【００２３】
かかる位置（すなわち、２つのハンドルのそれぞれに隣接して（かつ、好ましくは２つのハンドルのそれぞれに直接）配置されたコネクター７０）において接続されたストラップ７４の使用は、ユーザーによるデバイス２の支持および位置決めを容易にする。ハンドル（２４，２６）はそれぞれ、近位端部２０および遠位端２２に隣接してそれぞれ配置され、バランスのとれた運動の支点５２は、ハウジング４の中央領域５４における２つのハンドルの間に配置されている。このことは、Ｘ線デバイス２を移動させて照射の標的フィールドの位置を合わせ、その後でＸ線照射を駆動させるときに安定性を提供する（このことは、ユーザーの手でデバイス２を保持している間に行われる）。最適には、この構造は、デバイス２の交互の位置決め（図８および９）に関わらず、デバイス２の上面にストラップ７４を取り付けることを提供する。なぜなら、側部ハンドル２４の各端部（２８，３０）および後部ハンドル（２６）の各端部（４２，４４）に、コネクター７０が配置されるからである。
【００２４】
側部および後部ハンドル（２４，２６）がそれぞれ、互いに特定の様式で配置されるのもまた、好ましい実施形態の態様である。各ハンドルは、グリップ部の長さ８２に沿った中心軸８０を有し、側部ハンドル２４の中心軸８０は、後部ハンドル２６の軸８０と略平行である。好ましい実施形態では、図面に示されているように、側部および後部ハンドル（２４，２６）のグリップ部（３２，４６）の細長い長さ８２の位置合わせは、図１および２に示されているように、概して平行な経路に沿っている。この配置構成は、ユーザーが両手でデバイス２を快適に握り、デバイス２の位置を操作して標的領域上でＸ線フィールドの狙いをつけるための、２つのハンドルのグリップ部の適切な相対的位置合わせを提供する。
【００２５】
トリガー５６の位置は、本発明の重要な態様であり、ユーザーがそれぞれの手でデバイス２を保持しながらデバイス２の機能的コンポーネント１０を駆動させるのに適切な位置を提供する。提示され、かつ、図面に示されているように、トリガー５６は、好ましくは、側部および後部ハンドル（２４，２６）のグリップ部（３２，４６）の各端部に隣接して配置されている。本発明の好ましい形態では、トリガー５６はそれぞれ、特定のハンドルの端部（２８，３０）の近傍で、グリップ部（３２，４６）に隣接したハンドル上の各々のプラットフォーム８８上に配置されている。図１、２および８〜９に示されているように、プラットフォーム８８は、好ましくは、ハンドルグリップ部の長さの軸８０を概して横断する軸９０を有する、細長い広がりを有する。好ましい実施形態では、各トリガープラットフォームは、ハンドル本体の細長いグリップ部の軸８０に対して斜角にて延びる軸９０を有する。このことは、ハンドルの中心軸８０からオフセットされた平面に沿って（すなわち、グリップ部に隣接し、かつ、ハンドルの細長いグリップ部の軸から角変位した（したがって、ユーザーがハンドル２４，２６のグリップ部３２，４６を保持しながら、ユーザーの親指でトリガーを駆動させるのに最適な位置に））トリガープラットフォーム８８を提供する。この配置構成はまた、ユーザーにとって自然な方向経路においてトリガーを押すことによって駆動されるトリガー５６を提供する（すなわち、ユーザーは、彼または彼女の親指でハンドルの軸を横断する方向にトリガーを押す）。側部ハンドル２４はハウジング４の側部壁の大きい広がりにまたがるので、この実施形態は、側部壁１６の広がりの各端部または側部壁の高さに隣接して配置されたトリガープラットフォーム８８上にトリガー５６を提供し、かつ、ストラップコネクターもまた、側部壁の高さのそれぞれのかかる端部に提供されている。同様に、この実施形態は、後部壁の高さの大きい広がりを横切って延びるハンドルグリップ部４６を提供するように構成されているので、後部壁１８の高さの各端部に位置するトリガープラットフォーム上にトリガーが配置され、かつ、ストラップコネクター７０もまた、後部壁１８の高さの各端部に提供されている。したがって、デバイス２は、９０度（側面が上面になるような回転−図３〜４および７を参照）または１８０度（上面にある後部ハンドル２６の端部をさっと動かす−図８および９を比較）だけさっと動かされるように操作されてもよい。デバイスが交互にこれらの位置のそれぞれに配向されている一方で、トリガー５６がユーザーの親指による操作のためにグリップ部（３２，４６）に隣接して配置されている。
【００２６】
図７に示されているように、後部ハンドル２６は、好ましくは、グリップ部４６の細長い長さ８２の軸８０が概して、後部壁１８の中央領域に沿うように位置合わせされている。図示されている実施形態（図７）では、後部ハンドル２６の細長い長さ８２は概して、図８および９にあるような作動位置にて保持されるときに後部壁１８の特徴的な高さ８４を定める後部壁１８の中央部または中心線９２に沿って延びている。このことは、後部壁１８の中間における後部ハンドル２６のグリップ部にとって好ましい位置を提供し、デバイス２が右（図９）に側部ハンドル２４を有するようにさっと動かされるか、左（図８）に側部ハンドル２４を有するようにさっと動かされるかに関わらず、デバイス２が快適に握られ、かつ、操作されてもよいようになっている。さらに、好ましい実施形態では、図２に示されているように、側部ハンドル２４は、ハウジング４の長さの中心線４０の前に配置されており、ハンドル２４のグリップ部３２は、隣接する側部壁の高さ８６の実質的な広がりにまたがる長さ８２を有する。図３に示されているように、好ましい実施形態では、側部ハンドル２４は、隣接する側部壁１６の略平面の位置合わせ３８に対して角度９４をなして側部壁１６から延びている。具体的には、図３に示されているように、隣接する側部壁１６の特徴的な平面３８に対して延びているハンドル２４の角度９４は、好ましくは、鋭い前角９８にて配置されており、側部ハンドル２４が、前方端部２０に向かう角度方向にて側部壁１６から延び、かつ、後方端部２２および後部ハンドル２６から概して離れるように延びるようになっている。
【００２７】
この構造は、側部壁１６に一体的に取り付けられたハンドル端部（２８，３０）よりデバイス２の前方（近位）端部２０に近い側部ハンドル２４のグリップ部を有するデバイス２を提供する。本発明のこの態様によれば、側部ハンドル２４の本体は、前角９４にて側部壁１６から突き出ており、そのことによって、側部ハンドルのグリップ部３２と後部ハンドルのグリップ部４２との間の距離は、ハウジング４の長さ１００の大きい広がりを含んでいる。したがって、図３および４に示されているように、グリップ部の間の長さ１０２の中点は、ハウジング４の長さ１００の中央領域にある。ハウジング４の凹部領域３４は、側部ハンドル２４のグリップ部３２に隣接して配置されており、好ましくは、側部壁の内側に傾斜したセグメント１０４を有する。好ましい実施形態では、図２〜４に示されているように、側部ハンドル２４の両方の端部が、側部壁１６の内側に傾斜した領域１０４にて側部壁１６に固定されており、かつ、グリップ部３２は、凹部３４の底面領域１０６に隣接して、かつ、凹部３４の底面領域１０６から外側に位置している。
【００２８】
ハンドルグリップが側部壁の特徴的な平面に隣接している図面（図４）に示されているように、略平面の側部壁１６（すなわち、側部壁の大きい広がりが特徴的な平面３８の周りにある）と内側に延びる凹部領域３４との組み合わせは、側部壁１６から延びるハンドル２４の角変位９４とともに、側部ハンドル２４のグリップ部３２がハウジング本体に対して近くに位置するように構成されることをもたらす。図示されている実施形態では、側部ハンドル２４のグリップ部３２の隣接面１０８は、凹部領域３４の下面領域１０６から約３インチ未満（約７．５ｃｍ未満）であり、かつ、側部壁の特徴的な平面３８の真隣にある（または、少なくとも部分的に下にある）。本発明のこの態様は、デバイス２の主たる本体の近くに側部グリップを提供して、ユーザーによって保持されるときに、デバイス２の操作および位置合わせを容易にする。このデバイス２が使用中であるときは、したがって、ユーザーは、側部ハンドル２４を保持しながら彼または彼女の腕を延ばし得、したがって、ユーザーの身体は、デバイス２の長さ１００に沿って狙いをつけるためにデバイス２の後方部分２２の後に位置していてもよい。
【００２９】
デバイス２の前方端部または近位端部２０は、好ましくは、本技術分野で知られているようなコリメーターライトアセンブリーを含んでいる。コリメーターアセンブリーは、好ましくは、コリメーターライト６２と、Ｘ線デバイス本体の前方部分２０における開口部と関連付けられたコリメーター調整機構１１２（放射線照射の領域を調整可能に定める）を有する。図面に示されている実施形態では、コリメーター６２から発せられる光は、ハウジング４の近位端部２０においてシャッターパネル（図示せず）を制御する、近位端部２０に配置された調整可能なコリメーター機構１１２の操作によって調整され、そのことによって、近位端部２０から発せられる光の調整可能な領域を提供する。
【００３０】
図５〜６に示されているように、バッテリー１４（好ましくは、バネで付勢されたクリップまたはその他のかかるファスナー（ねじファスナー、スライド機構もしくは外部ケーシングのような）のような固定機構１１６によって所定の位置に固定された、取り外し可能なバッテリー）が提供されている。本発明の好ましい形態では、バッテリー１１４は、側部ハンドル２４の側部壁の１６位置とは反対側のハウジング４の外壁に固定された、再充電可能かつ取り外し可能なバッテリーである。バッターは、独立して充電されてもよく、電源プラグ１１８における電源の接続によって充電されてもよい。電源プラグ１１８は、電源に接続されるときに、電力がバッテリー１１４の充電もしながらデバイス２の使用のために供給されるように構成されていてもよい。デバイス２はまた、好ましくは、ユーザーによって押され、そうでなければユーザーによって駆動されるときにバッテリー１１４の残存電荷を示すＬＥＤライトのようなバッテリー電力インジケーター１２０を含んでいる。
【００３１】
携帯型デバイス２はまた、好ましくは、スタンドまたはブーム（図示せず）に大きいハンドルまたはデバイス２を取り付けるための、支持コネクター１２２のペアを含んでいる。支持コネクター１２２は、好ましくは、それぞれ反対側の外側部壁１６上に位置する標準的なねじレシーバーである。かかるねじコネクターは、ハウジング４の幅をまたいで反対側の側部壁のそれぞれにおいて取り付けるハンドルを取り付けるための携帯型Ｘ線デバイス用、または、スタンドもしくはブームに取り付けられたＵ字形ブラケット用に一般的に用いられる、一般的な種類のものであってもよい。好ましい実施形態では、側部コネクター１２２は、側部壁ハンドル２４に隣接した、ハウジング４の長さ１００に沿う中央領域に概して配置されている。好ましい実施形態では、図３に示されているように、コネクター１２２は、中心線４０にあり、または、中心線４０に隣接し、かつ、側部ハンドル１４に隣接した、ハウジング４の反対側に位置し、したがって、ハウジング４の中央に、または、ハウジング４の中央付近に配置され、かつ、角度をなして延びるハンドル２４によって妨害されないデバイス２の取り付け機構１２２を提供する。さらに、側部壁ハンドル２４は、側部壁の近くに位置し、かつ、好ましくは、側部壁のうちの１つのみに直接取り付けられるので、支持コネクター１２２は、ハウジング４の側部ハンドル２４と同じ側に配置されないことが好ましく、代わりに、好ましくは、側部ハンドル２４を有する略平面の側部壁に隣接する２つの対向する側部壁１６上にある。
【００３２】
図１０および１１に示されているように、デバイス２は、好ましくは、ハンドル（２４，２６）上に配置されたトリガー５６による駆動およびデバイス２とコンピューター１３２のプロセッサー１３０との間の通信による駆動の組み合わせを通してユーザーによって作動される。図面に示されている好ましい実施形態では、ＷＩＦＩデバイスのような無線通信デバイス１３６に内部プロセッサー１３４が接続されており、両方がデバイス２の内部空間８内に配置されている。オペレーターは、手持ちデバイス２と通信してデバイス２についての設定機能を実行するように構成された内部無線通信デバイス１５２（ＷＩＦＩ通信デバイスのような）を有する外部コンピューター１３２を用い、該外部コンピューター１３２はまた、放射線画像の画像を受け取るのに用いられてもよい。デバイス２（図７）は、好ましくはまた、ＷＩＦＩが利用可能ではない状況にあるように、無線通信を迂回するために内部プロセッサー１３４に内部で有線にて繋がれた、イーサネットケーブルコネクター１４２のような電気的な接続ポートを有して構成されている。
【００３３】
作動中、ユーザーは、２つのハンドル（２４，２６）を保持することによってデバイス２を支持し、Ｘ線照射のための標的フィールドの位置を合わせる。適切な位置合わせを容易にするために、ユーザーは、側部ハンドル２４上のトリガー５６を押して、近位端部２０においてコリメーター６２から発する光によるフィールドの照射のようなデバイス２の位置合わせ機能を駆動させる。上記のように、側部ハンドルのトリガー５６は、ユーザーが、十字マークのような、コリメーターライト６２を駆動させ、または、デバイス２の前方部分２０から発せられるレーザー６４を駆動させるためのトリガーを提供するように構成されている。このことは、側部ハンドルのトリガー５６のうちの１つを第１の位置へと単に押してライト６２を点け、その後でトリガーを第２の位置へと押してレーザー６４の十字マークを駆動させることによって行われる。ユーザーはその後、後部ハンドル２６のトリガー５６のうちの１つを操作して、Ｘ線照射のためにデバイス２を駆動させる。好ましい実施形態では、このことは、押されたときにＸ線の準備ができたことを識別するインジケーターライト６６の機能を駆動させ、その後で押されて放射線照射を駆動させてもよい後部ハンドルのトリガー５６を提供することを含む。上記のように、これは、好ましくはトリガー５６のペアとして構成され、各トリガーは、後部ハンドル２６のグリップ部４６の反対側に配置され、かつ、各トリガー５６は、デバイス２の準備ができていることのために第１のレベルへと押され、かつ、Ｘ線照射を駆動させるために第２のレベルへと押されてもよいボタンである。トリガー５６に隣接したインジケーターライト６６は、好ましくは、電気的に接続されてプロセッサーからの信号を受け取り、トリガーが第１のレベルへと押されたときにデバイスの準備ができていることの指標をオペレーターに提供する。
【００３４】
内部無線デバイス１３６と通信している内部プロセッサー１３４を有する構成はまた、Ｘ線画像を受け取るのに用いられるプロセッサー１３０またはコンピューター１３２以外に、デバイス２とバックオフィス位置にある遠隔サーバー１４４との間の直接通信のための能力を提供する。デバイス２は、そのことによって、オペレーターコンピューター１３２（ラップトップまたはタブレットコンピューター）がデバイス２と無線通信してＸ線生成器１２およびデバイス２の画像システムを制御し、バックオフィスサーバー１４４がデバイス２と無線通信して、デバイス２の機能の設定、較正およびトラブルシューティングのようなバックオフィス制御機能を実行するように構成されている。いっそう具体的には、バックオフィスサーバーとの無線通信リンクは、インターネットを通して行われ：（１）デバイス２内のシステムの一般的ステータスをチェックして、モジュールおよびサブシステムの機能をチェックし、システムのプログラムされた設定をチェックし、較正ステータスまたは較正日を識別し、実行された試験の数を識別し、ソフトウェアをアップデートするなどしてもよく；（２）例えばエラーロックをダウンロードすることによってエラーを識別して、どのような介入が必要とされるかを評価してもよく；（３）トラブルシューティング機能を実行してもよく；（４）デバイス２の機能的システムの較正を変更またはアップデートしてもよく；（５）デバイス２のソフトウェアをアップグレードしてもよく；かつ、（６）デバイス２の解剖学的プログラマーをアップグレードまたは修正して、最適な実行を確実にしてもよい。もちろん、これらの機能の大部分またはすべてが、バックオフィスサーバーと関連付けられたシステムエンジニアを伴っていてもよく、かつ、機能は、バックオフィスサーバーまたはエンジニアによって開始されてもよく、デバイス２内のサーバーによって開始されてもよい。
【００３５】
携帯型デバイス２の内部コンポーネントとバックオフィスサーバー１４４との間の無線通信は、インターネット接続が利用可能である限り、携帯型デバイス２が採用された場所に関わらず、サービスエンジニアへの情報、および、サービスエンジニアによる必要な措置についての能力を提供するように構成されている。このことは、動物が飼われている場合のような必要とされる場合に採用されるように設計された、本発明の手持ち携帯型デバイスにとって特に有用である。例えば、バックオフィスサーバー１４４へと信号を送り、かつ、バックオフィスサーバー１４４から信号を受け取るための内部通信デバイス１３６を有する携帯型手持ちＸ線デバイス２含む本発明のシステム１５４は、それが馬のＸ線を生成するために遠隔地で用いられている間に、デバイス２の作動システムへの遠隔アクセスを提供する。このことは、エンジニアが場所へと移動する必要性またはデバイス２を技術者へと発送させる必要性を回避する。特定の位置にて保たれる携帯型ではないＸ線設備とは異なり、図面に示されているような手持ち携帯型デバイス２は、修理または日常的な整備でさえ容易ではない。したがって、手持ちデバイス２の中に無線通信デバイス１３６および内部プロセッサー１３４を含むシステム１５４を有して、遠隔地におけるデバイスと通信することが最適である。このことは、例えば、バックオフィスサーバー１４４による操作のために、デバイス２の基本的なプログラムおよび設定への完全なアクセスを可能にする。
【００３６】
好ましい実施形態では、携帯型デバイス２の内部プロセッサー１３４とバックオフィスサーバー１４４との間の通信リンクは、デバイス２とバックオフィス通信デバイス１４６との間の中継通信ポイントとして、オペレーターコンピューター１３２への無線接続を含んでいる。システム１５４のこの態様は、図１０に示されており、デバイス２の位置にてオペレーターコンピューター１３２を通したバックオフィスへのデバイス２の通信接続を提供するように構成されている。本発明のシステムのこの態様では、携帯型Ｘ線デバイス２は、通信デバイス１３６を通して外部コンピューター１３２へと信号を送り、かつ、外部コンピューター１３２から信号を受け取るように構成された内部プロセッサー１３４を有し、かつ、信号を受け取り、かつ、遠隔プロセッサー１４４，１５０へのデータまたは遠隔プロセッサー１４４，１５０からのデータを通信するためにオペレーターコンピューターを用いる。図１０に示されているこのシステムの好ましい実施形態では、オペレーターコンピューター１３２の通信デバイス１５２は、Ｘ線デバイス２に無線接続されており、かつ、デバイス２およびオペレーターコンピューター１３２に対して遠隔地にてバックオフィス通信デバイス１４６および／または別の設備通信デバイス１５６と無線通信するように構成されている。
【００３７】
図１０に示されているように、この通信システムは、Ｘ線の機能的コンポーネント（最も注目すべきは、Ｘ線管１４の準備ができていること、および／または、故障に関する情報を提供することも可能である、Ｘ線生成器１２のコンポーネント１０）ならびにコリメーターライトアセンブリー６２およびレーザーデバイス６４のような付随的コンポーネントが、内部プロセッサーコンポーネント１３４を通して接続されてバックオフィスサーバー１４４へと信号を送ってもよい点において独特である。この構成では、携帯型デバイス２のハウジング４内の機能的コンポーネントはモニタリングされていてもよく、かつ、かかるコンポーネントのうちの少なくともいくつかのパラメーターは、無線通信デバイス１３６を通して内部制御プロセッサー１３４へと送達される信号を通して調整されてもよい。好ましい実施形態では、Ｘ線管１４の機能的ステータスは、生成器１２からの信号によって内部プロセッサーへと間接的に提供され、Ｘ線管１４とプロセッサー１３４との間の直接的接続リンクが必要でないようになっている。好ましくは、内部プロセッサーから遠隔地への通信は、インターネットで実行され、かつ、すべてのかかる通信は、ハウジング４内の内部無線デバイスを通して内部プロセッサーへと、かつ、内部プロセッサーから中継される。バックオフィスサーバー１４４への通信に用いられるハウジング４内の無線通信デバイス１３６は、好ましくは、オペレーターコンピューター１３２への通信に用いられるのと同一の通信デバイス１３６であり、したがって、オペレータープロセッサー１３０は、デバイス２と遠隔地プロセッサー（１４４，１５０）との間のデータ通信用の中継ハブとして利用される。ハウジング４内の無線通信デバイス１３６は、２つ以上の別個の通信デバイスを有していてもよく、デバイス２の使用のための機能のうちの少なくともいくつかがブルートゥース通信プロトコルを介したオペレーターコンピューター１３２への通信を伴って実行されてもよく、その他の機能の通信（バックルームへの通信のような）がＷＩＦＩおよびインターネットを通した送信であってもよいようになっていることは注目すべきである。
【００３８】
図１１に示されているように、プロセッサー１３４は、トリガー５６、内部空間６内の内部コンポーネントのようなデバイス２の多数のコンポーネントから信号を受け取り、かつ、コンポーネントへと信号を送達し得る。内部プロセッサーはまた、特定のコンポーネント（光生成コンポーネントまたはレーザー生成コンポーネントのような）からの受け取りエラーまたはサービスメッセージのような内部プロセッサーからのリターン信号を受け取ってもよく受け取らなくてもよいその他のコンポーネントに関する信号を受け取るように構成されている。ハウジング４内のプロセッサーは、そのことによって、デバイス２のコンポーネントに関する情報を含む、オペレーターに最も近いコンピューター１３２と通信している無線デバイス１３６を介してバックオフィスプロセッサー１４４へと信号を送る。バックオフィスプロセッサー１４４によって受け取られた情報は、その後、デバイスおよびそのコンポーネントの識別に関する情報を含む、遠隔地におけるメモリー格納デバイスに予めローディングされている情報と比較されてもよい。バックオフィスプロセッサー１４４へと格納または送信された、受け取られた情報と予めローディングされている情報との比較に基づいて、バックオフィスプロセッサーによって特定のアクション（サービスコールを発動させる信号の送信、送達される置換部分の指示またはデバイス２の作動パラメーターの変更を発動させる信号）がとられてもよい。代替的には、バックオフィスプロセッサー１４４によって受け取られた情報は、とられるべきアクションのためのエンジニアインターフェース１４８を通してのサービスエンジニアへの送達のために編集もしくは組織化されてもよく、または、バックオフィスプロセッサーと関係付けられたメモリーへと送信されて、受け取られた情報の記録が取られてもよい。
【００３９】
好ましい実施形態では、図１０に示されているように、高周波生成器１２およびＸ線管１４はそれぞれ、外部コンピューター１３２および／またはバックオフィスサーバー１４４へと送信された情報ならびに外部コンピューター１３２および／またはバックオフィスサーバー１４４から送信された情報に関する信号の交換のために、ハウジング４内のプロセッサーと双方向通信している。プロセッサー１３４はまた、コリメーターライトコンポーネント６２およびレーザーコンポーネント６４のような、ハウジング４内のその他のコンポーネントと電気的に通信するように構成されている。この電気的な通信は、デバイス２のコンポーネントをモニタリングおよび修理する機能を提供（該提供は、かかる機能のための信号を受け取るプロセッサー１３４を通して行われる）するだけでなく、用時にデバイス２の作動を制御するのにも用いられる。このことは、コンポーネントの調整のために、オペレーターによって、または、バックオフィスプロセッサー１４４からデバイス２へと中継される信号によってコンピューターにおけるサイト上で生成されるローカルコンピューター１３２からの信号を受け取るプロセッサー１３４を通して行われる。
【００４０】
好ましい実施形態では、したがって、本発明による携帯型Ｘ線デバイス２およびその作動は、次の通りである：Ｘ線デバイス２は、インターネットで現場と通信しているオペレーターコンピューター１３２に無線接続されており（オペレーターコンピューター１３２への信号の通信用に構成されており）、また、使用位置における設備（病院もしくはクリニック）または使用位置に近い設備にて通信リンクを用いてプロセッサー１５０と直接的に接続されていてもよい。このことは、オペレーターコンピューター１３２の強力な通信デバイス１５２を利用する構成（携帯型Ｘ線デバイス２にかかる強力な無線通信デバイスを備えることを必要とするよりはむしろ）であるので有利であろう。オペレータープロセッサー１３０および通信デバイス１５２は、好ましくは、図面において特定されているラップトップコンピューターのようなコンピューターであるが、かかる機能のための適切なソフトウェアを有する携帯電話であってもよい。
【００４１】
携帯型Ｘ線デバイス２が、内部プロセッサー１３４と、（好ましくは、オペレーターコンピューターとの通信リンクを通して）バックオフィスサーバー１４４またはプロセッサーと通信（し、その後でインターネットを通してバックオフィスへと信号を送信）している無線通信デバイス１３６とを有する本システムは、デバイスの中心的コンポーネント、Ｘ線生成器１２および画像システムの遠隔制御態様へのアクセスを提供する。このことは、デバイス２が用いられる位置にて、まるでサービスエンジニアが現場にいるかのように、かかる機能への遠隔アクセスを可能にする。本発明のこの態様の好ましい形態では、サービスエンジニアインターフェース１４８またはデバイス２への調整を行うための情報が予めローディングされているプロセッサー１４４は、遠隔的にデバイス２上で以下のプロセスを実行するのに用いられてもよい：（１）システムのステータスを判定し（エラーをチェックして、すべてのモジュールおよびサブシステムが適切に作動していることを確実にし）；（２）システムの設定、および、必要とされる特定の機能について可能性のある設定オプションの適切性を確認し；（３）最終較正日および使用（実行された試験の数、実行された試験のタイプおよび電力のレベルなど）をチェックし、かつ、デバイス２のソフトウェアおよびファームウェアバージョンを確認し；（４）任意のエラーロックをダウンロードして、システムが経験した故障を見直し、かつ、必要とされる必要な介入を評価し；（５）トラブルシューティングを実行して、システムにおける問題を識別および評価し、そのことによって問題を解決するのにどの予備部品が必要とされるかを判定し；（６）システム設定を変更して、もしくは、いくつかのオプションの機能をパーソナル化して、システムの性能を最適化し；（７）システムの較正をチェックし、かつ、必要であれば再較正し；または（８）解剖学的プログラマーをアップグレードおよび／もしくは修正して、放射線学的技術を最適化して、システムの最大限の性能を得る。
【００４２】
本発明のシステムは、したがって、携帯型Ｘ線デバイス２を提供し、該携帯型Ｘ線デバイス２は、コンピュータープロセッサーへと、および、コンピュータープロセッサーから情報を伝え、かつ、遠いプロセッサー（１４４，１５０）へと、および、遠いプロセッサー（１４４，１５０）から情報を伝えるために（コンピューターからバックオフィス受け取りシステムへのインターネットまたはその他のネットワークでの通信を介して）、デバイス２の近くにあるオペレーターコンピューター１３２へと通信するように構成されたプロセッサー１３４を収容する。本発明のこの態様によれば、オペレーター近位コンピューター１３２は、携帯型デバイス２を作動させるための情報およびコマンドを通信し、また、携帯型デバイス２から遠くに配置されたバックオフィスサーバー１４４またはその他の遠隔サーバー１５０からコマンドおよびデータを通信するように構成されている。ローカルコマンド（すなわち、オペレーターによって生成されるもの）は、特定の用途のために照射時間およびデバイス２のその他の機能のような作動パラメーターを含んでいてもよく、デバイス２を用いる技師によって方向付けられてもよく、遠隔コマンド（すなわち、バックオフィスから生成されるもの）は、当該システムを通して受け取られる情報に基づいてデバイスサプライヤーを伴った技師によって方向付けられてもよい。
【００４３】
図１１に示されているように、本発明の好ましい形態では、Ｘ線高周波電圧生成器１２は、好ましくは、内部プロセッサーと直接的に接触するように構成されており、該内部プロセッサーは、コンポーネントから情報を受け取り、かつ、コンポーネントへと信号を提供して、Ｘ線照射パラメーターを確立する。具体的には、ハウジング４内のプロセッサー１３４は、Ｘ線生成器１２、コリメーターライト６２、レーザー生成器６４および無線通信デバイス１３６に電子的に接続されており、かつ、ハウジング４上のインジケーターライト６６へと信号を送り、かつ、ハンドル（２４，２６）のトリガー５６から信号を受け取るように構成されている。内部プロセッサーは、ハウジング４中の無線通信デバイス１３６を通してオペレーターコンピューター１３２へと、コンピューター１３２と関連付けられた無線デバイス１５２への無線接続を介して通信して、携帯型デバイスプロセッサー１３４とコンピュータープロセッサー１３０との間で信号を中継する。好ましい実施形態では、当該システムのこの作動モードは、アクティビティの機能的作動を提供し、かつ、Ｘ線機能および画像を送信する。
【００４４】
当該システムはまた、遠隔プロセッサー１４４，１５０とのインターネットでの通信による修理またはトラブルシューティングモードを提供する。本発明の好ましい形態では、作動の修理モードは、携帯型デバイス２とコンピューター１３２との間の通信リンクを利用して、遠隔サーバー１４４，１５０を用いたコンピューター１３２への／からの信号の中継を容易にする。好ましい実施形態では、当該システムは、独立して、または、同時に、作動モードまたは修理モードで作動してもよい。
【００４５】
上記実施形態（とりわけ、任意の「好ましい」実施形態）が、実装の考え得る例であり、本発明の原理の明確な理解のために記載されたに過ぎないことは強調されるべきである。本発明の精神および原理から実質的に逸脱することなく、本発明の上記実施形態に対して変形および修正がなされてもよい。すべてのかかる修正は、本開示の範囲内に含まれ、かつ、以下の請求の範囲によって保護されることが意図される。
【図１】
2020526338.tif 000003
【図２】
2020526338.tif 000004
【図３】
2020526338.tif 000005
【図４】
2020526338.tif 000006
【図５】
2020526338.tif 000007
【図６】
2020526338.tif 000008
【図７】
2020526338.tif 000009
【図８】
2020526338.tif 000010
【図９】
2020526338.tif 000011
【図１０】
2020526338.tif 000012
【図１１】
2020526338.tif 000013
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
携帯型Ｘ線デバイスであって、当該携帯型Ｘ線デバイスは：
ハウジングを有し、該ハウジングは、内部空間を定めるハウジング壁配置構成と、前記内部空間内で前記ハウジングによって包まれたＸ線生成器およびＸ線管を有し、前記ハウジングは、前記ハウジング壁配置構成の長さによって定められた側部壁と、放射線照射の領域を調整可能に定めるためにコリメーター調整機構を有する前部壁と、前記ハウジング壁配置構成の後方部分によって定められた反対側の後部壁を有し；
側部ハンドルを有し、該側部ハンドルは、前記側部壁と一体化した第１端部および前記側部壁と一体化した第２端部、ならびに、前記側部ハンドルの前記第１および第２端部の間にある第１グリップ部を有し、前記側部ハンドルは、前記ハウジング壁配置構成の前記長さの前方部分に位置しており；
後部ハンドルを有し、該後部ハンドルは、前記後部壁と一体化した第１端部および前記後部壁と一体化した第２端部、ならびに、前記後部ハンドルの前記第１および第２端部の間にある第２グリップ部を有し；
第１アクチュエータートリガーを有し、該第１アクチュエータートリガーは、前記側部または後部ハンドルのいずれか一方の前記第１端部に隣接して位置しており、前記第１アクチュエータートリガーは、当該デバイスの放射線機能を制御するように構成されており；かつ、
第２アクチュエータートリガーを有し、該第２アクチュエータートリガーは、前記側部または後部ハンドルの前記いずれかの前記第２端部に隣接して位置しており、前記第１および第２アクチュエータートリガーは、前記ハンドルの前記グリップ部の両方の端部に隣接して位置している、
前記携帯型Ｘ線デバイス。
【請求項２】
前記第１および第２アクチュエータートリガーが、後部ハンドル上に位置しており、前記アクチュエーターはそれぞれ、当該デバイスの前記放射線写真機能を制御するように構成されている、請求項１に記載の携帯型デバイス。
【請求項３】
前記側部ハンドルの前記第１端部に隣接して位置する第３アクチュエータートリガーおよび前記側部ハンドルの前記第２端部に隣接して位置する第４アクチュエータートリガーをさらに有し、前記第３および第４アクチュエータートリガーは、当該デバイスの放射線写真機能を制御するように構成されている、請求項２に記載の携帯型デバイス。
【請求項４】
前記後部ハンドルの前記第１および第２アクチュエーターが、Ｘ線照射を開始させるためのスイッチを提供するように構成されており、かつ、前記側部ハンドルの前記第３および第４アクチュエーターが、当該デバイスから発せられる光の制御を提供して、Ｘ線照射の標的を識別するように構成されている、請求項３に記載の携帯型デバイス。
【請求項５】
前記アクチュエータートリガーがそれぞれ、前記ハンドルの前記グリップ部の端部に位置するボタンを有し、ユーザーが、前記ハンドルを保持するときに前記ユーザーの親指で前記ボタンを操作してもよいようになっている、請求項３に記載の携帯型デバイス。
【請求項６】
前記側部ハンドルが、ユーザーが一方の手で前記側部ハンドルを握って当該デバイスを支持するように当該デバイスの側部に沿って配置されており、かつ、前記後部ハンドルが、ユーザーが他方の手で前記後部ハンドルを同時に握って当該デバイスを支持するような位置に配置されており、かつ、前記アクチュエータートリガーが、前記ユーザーが、当該デバイスを保持しながら各ハンドルの少なくとも１つのトリガーを同時に操作するように位置している、請求項３に記載のデバイス。
【請求項７】
前記ハウジングの前記側部が、前記側部ハンドルに隣接したボイド領域を定めるギザギザの領域を有し、前記ボイド領域は、ユーザーが手を入れて前記側部ハンドルを保持するための空間を提供する、請求項１に記載のデバイス。
【請求項８】
前記ハウジングが中心軸を有する側部の長さを有し、該中心軸は、前記長さの前方部分および後方部分を分離しており、前記後部壁が後方部分中心軸を有し、前記側部ハンドルが前記側部の前記前方部分に位置しており、前記後部ハンドルが前記後方部分中心軸に概して沿っている、請求項１に記載のデバイス。
【請求項９】
前記ハウジングが、前方および後方端部の間にある長さを有し、かつ、前記ハウジングが特徴的な幅を有し、前記側部ハンドルが、少なくとも前記ハウジングの側部の幅の広がりにまたがる軸線に沿った長さを有する、請求項１に記載のデバイス。
【請求項１０】
前記ハウジングの前記後部壁が特徴的な高さを有し、前記後部ハンドルが、少なくとも前記後方部分の特徴的な高さの広がりにまたがる軸線に沿った長さを有する、請求項９に記載のデバイス。
【請求項１１】
前記側部ハンドルの前記軸線が、前記後部ハンドルの前記軸線と概して平行である、請求項１０に記載のデバイス。
【請求項１２】
主たる本体を有する携帯型手持ちＸ線デバイスであって、該主たる本体は、前記本体の特徴的な幅を定める側部壁、前記本体の特徴的な高さを定める後方部分および放射線照射の領域を調整可能に定めるコリメーター調整機構を有する反対側の前方部分を有し、前記の主たる本体は、Ｘ線生成器およびＸ線管を包む内部空間ならびに照射制御プロセッサーを有し、当該携帯型手持ちＸ線デバイスはさらに；
側部ハンドルを有し、該側部ハンドルは、前記側部壁の前方部分に隣接して配置されており、かつ、前記側部壁の広がりにわたって延びるハンドル長さを有し、前記側部ハンドルは、第１端部および第２端部を有し、前記端部の間には中間グリップ部があり、前記グリップ部は、ユーザーが前記ハンドルを保持して前記側部壁に隣接した位置にて当該デバイスを支持するように構成されており；
前記の主たる本体の前記後方部分における後部壁に隣接して配置された後部ハンドルを有し、前記後部ハンドルは、第１端部および第２端部を有し、かつ、前記端部の間に中間グリップ部を有し、前記グリップ部は、ユーザーが前記後部ハンドルを保持して前記後部壁に隣接した位置にて当該デバイスを支持するように構成されており；
前記側部または後部ハンドルのうちの第１のものの上に位置する第１アクチュエータートリガーを有し、前記アクチュエータートリガーは、前記ユーザーが前記側部および後部ハンドルを保持している間、前記照射制御プロセッサーに電気的に接続されて、第１の機能の駆動についての制御を提供し；かつ、
前記の第１のハンドルの上に位置する第２アクチュエータートリガーを有し、前記第１および第２アクチュエータートリガーは、前記ハンドルの前記グリップ部の両方の端部に隣接して位置している、
前記携帯型手持ちＸ線デバイス。
【請求項１３】
前記側部または後部ハンドルの前記いずれかの第２のハンドルが、第３および第４アクチュエータートリガーを含んでおり、該第３および第４アクチュエータートリガーはそれぞれ、前記の第２のハンドルの前記グリップ部に隣接して位置しており、かつ、両方のハンドルを保持するユーザーによって押されることが可能なように露出しており、前記の第２のハンドルの前記アクチュエータートリガーは、当該デバイスの第２の機能を駆動させるように構成されている、請求項１２に記載の携帯型手持ちＸ線デバイス。
【請求項１４】
各ハンドルの前記アクチュエータートリガーが、ユーザーが各ハンドル上に手を置いて当該デバイスを保持しながら前記の第１および第２の機能を駆動させることを可能にする構成にて位置している、請求項１３に記載の携帯型手持ちＸ線デバイス。
【請求項１５】
前記の第１のハンドルの前記アクチュエータートリガーのうちの少なくとも一方が、ユーザーが前記の第１のハンドルを保持している手の親指で前記の第１の機能を駆動させる位置にあり、前記の第２のハンドルの前記アクチュエータートリガーのうちの少なくとも一方が、ユーザーが前記の第２のハンドルを保持している手の親指で前記の第２の機能を駆動させる位置にある、請求項１４に記載の携帯型手持ちＸ線デバイス。
【請求項１６】
前記の第２のハンドルの各トリガーが、電気的な接続を用いて当該デバイスの前方部分から発する光を制御するように構成されており、かつ、前記の第１のハンドルの各トリガーが、電気的な接続を用いて当該デバイスによるＸ線照射を駆動させるように構成されている、請求項１５に記載の携帯型手持ちＸ線デバイス。
【請求項１７】
前記側部ハンドルが前記側部壁と一体化しており、かつ、前記後部ハンドルが前記後部壁と一体化している、請求項１２に記載の携帯型手持ちＸ線デバイス。
【請求項１８】
前記側部ハンドルの前記第１および第２端部がそれぞれ前記側部壁に固定されており、かつ、前記後部ハンドルの前記第１および第２端部がそれぞれ前記後部壁に固定されている、請求項１６に記載の携帯型手持ちＸ線デバイス。
【請求項１９】
前記ハウジングが、前記側部ハンドルに隣接したギザギザの部分を有し、ユーザーが前記側部ハンドルの前記グリップ部を握るためのアクセスのためのボイド領域を提供する、請求項１２に記載の携帯型手持ちＸ線デバイス。
【請求項２０】
前記の主たる本体が、前方端部および後方端部の間に本体長さを有し、前記側部ハンドルの前記グリップ部が、前記の主たる本体の前記前方端部に隣接して位置しており、かつ、前記後部ハンドルが、前記の主たる本体を越えて延びている、請求項１２に記載の携帯型手持ちＸ線デバイス。
【請求項２１】
前記の主たる本体が、前記本体の中央に中心線を有する長さを有し、前記側部ハンドルが前記前方端部と前記中心線との間に配置されており、かつ、前記後部ハンドルが、前記中心線からある程度離れて配置されている、請求項２０に記載の携帯型手持ちＸ線デバイス。
【請求項２２】
前記の主たる本体が、前方端部と後方端部との間に全体長さを有し、かつ、前記側部ハンドルの前記グリップ部が、前記後部ハンドルの前記グリップ部から距離を置いて配置されており、前記グリップ部間の前記距離が、前記本体の長さの半分より大きい、請求項１２に記載の携帯型手持ちＸ線デバイス。
【請求項２３】
支持ストラップコネクターが、前記側部ハンドルの各端部および前記後部ハンドルの各端部に隣接して配置されている、請求項１２に記載の携帯型手持ちＸ線デバイス。
【請求項２４】
細長い側部壁配置構成、放射線照射の領域を調整可能に定めるコリメーター調整機構を有する前部壁および反対側の後部壁を有する主たる本体を有する携帯型手持ちＸ線デバイスであって、前記の主たる本体は、Ｘ線生成器およびＸ線管を包む内部空間ならびに制御プロセッサーを有し、当該携帯型手持ちＸ線デバイスは：
側部ハンドルを有し、該側部ハンドルは、前記側部壁の前方部分に隣接して配置されており、かつ、前記側部壁の広がりに隣接して位置する細長い第１グリップ部を有し；
後部ハンドルを有し、該後部ハンドルは、前記後部壁に隣接して配置されており、かつ、前記後部壁に隣接して位置する細長い第２グリップ部を有し；
前記側部ハンドルまたは後部ハンドルのいずれかの前記グリップ部の両方の端部に配置されたアクチュエータートリガーのペアを有し、前記アクチュエータートリガーはそれぞれ、ユーザーが前記側部および後部ハンドルの前記グリップ部にて当該デバイスを保持しながら当該デバイスの機能を制御するためのスイッチとして構成されている、
前記携帯型手持ちＸ線デバイス。
【請求項２５】
前記側部または後部ハンドルの他方の前記グリップ部の両方の端部に配置されたアクチュエータートリガーの第２のペアをさらに有し、前記のアクチュエータートリガーの第２のペアはそれぞれ、ユーザーが前記側部および後部ハンドルの前記グリップ部を保持しながら当該デバイスの機能を制御するためのスイッチとして構成されている、請求項２４に記載の携帯型手持ちＸ線デバイス。
【請求項２６】
前記のアクチュエータートリガーの第１のペアが、前記側部ハンドル上に配置されており、かつ、Ｘ線照射領域を定めるために当該デバイスの機能を制御するように構成されており、前記のアクチュエータートリガーの第２のペアが、前記後部ハンドル上に配置されており、かつ、Ｘ線照射の駆動を制御するように構成されており、ユーザーが、両方のハンドルにて当該デバイスを保持しながら当該デバイスの両方の機能を同時に作動させてもよいようになっている、請求項２５に記載の携帯型手持ちＸ線デバイス。
【請求項２７】
前記の主たる本体が、前記後部壁と当該デバイスの前方端部との間に本体長さを有し、前記側部ハンドルが、当該デバイスの前記前方端部に隣接して配置されており、かつ、前記後部ハンドルが前記の主たる本体を越えて延びている、請求項２４に記載の携帯型手持ちＸ線デバイス。
【請求項２８】
前記側部壁配置構成が、略平面セグメントおよびギザギザのセグメントを有し、前記のギザギザのセグメントは、前記側部ハンドルに隣接した当該デバイスの前記前方端部に隣接して配置されている、請求項２７に記載の携帯型手持ちＸ線デバイス。
【請求項２９】
前記の主たる本体が、前記本体の中央に中心線を有する長さを有し、前記側部ハンドルが、前記前方端部と前記中心線との間に配置されており、かつ、前記後部ハンドルが、前記中心線からある程度離れて配置されている、請求項２８に記載の携帯型手持ちＸ線デバイス。
【請求項３０】
前記側部ハンドルの前記グリップ部および前記後部ハンドルの前記グリップ部が、分離距離にて位置しており、前記分離距離は、前記本体の長さの半分より大きい、請求項２９に記載の携帯型手持ちＸ線デバイス。
【請求項３１】
携帯型手持ちＸ線デバイスであって、当該携帯型手持ちＸ線デバイスは：
前方端部および後方端部を有する主たる本体を有し；
前記の主たる本体の側部に沿った前記前方端部に隣接して配置されたグリップ部を有する側部ハンドルを有し、前記グリップ部は、第１の軸に沿う細長い広がりを有し、かつ、ユーザーが当該Ｘ線デバイスを用いながら前記側部グリップ部を第１の手で保持するように構成されており；
前記後方端部に隣接して配置されたグリップ部を有する後部ハンドルを有し、前記後部グリップ部は、第２の軸に沿う細長い広がりを有し、かつ、ユーザーが当該Ｘ線デバイスを用いながら前記後部グリップ部を第２の手で保持するように構成されており；
前記側部および後部グリップ部は、ユーザーが、前記側部ハンドルが前記ユーザーの左側にあっても右側にあっても、当該デバイスを保持および使用してもよいように位置しており；かつ、
前記ハンドルのうちの少なくとも一方が、前記グリップ部の前記の細長い広がりの各端部に配置されたアクチュエータートリガーを有し、各アクチュエータートリガーは、ユーザーが前記ハンドルの前記グリップ部を保持することによって当該デバイスを支持しながら、当該デバイスの機能を制御するためのスイッチを提供するように構成されている、
前記携帯型手持ちＸ線デバイス。
【請求項３２】
各アクチュエータートリガーが、前記ハンドルの前記グリップ部の前記軸に対して角度をなして位置しているプラットフォーム上にあるボタンを有する、請求項３１に記載の携帯型手持ちＸ線デバイス。
【請求項３３】
前記アクチュエータートリガーが、前記側部ハンドル上に配置されており、かつ、当該デバイスの第１の機能を制御するように構成されており、当該デバイスはさらに、アクチュエータートリガーの第２のペアを有し、該アクチュエータートリガーの第２のペアは、前記後部ハンドル上に配置されており、かつ、当該デバイスの第２の機能を制御するように構成されており、前記の４つのアクチュエータートリガーはそれぞれ、前記の各々のハンドルの前記グリップ部の前記軸に対して角度をなして位置するボタンを有する、請求項３１に記載の携帯型手持ちＸ線デバイス。
【請求項３４】
携帯型Ｘ線システムであって、当該携帯型Ｘ線システムは；
内部空間を有するハウジングを有する携帯型手持ちＸ線デバイスを有し；
前記ハウジングの前記内部空間内にあるプロセッサーおよびＸ線コンポーネントを有し、前記プロセッサーは、少なくとも１つのＸ線コンポーネント、および、前記Ｘ線デバイスと関連付けられた無線通信デバイスと電気的に通信しており；
前記Ｘ線デバイスの近くに配置されたオペレーターコンピューターを有し、該オペレーターコンピューターは、前記コンピューターと前記Ｘ線デバイスとの間の無線通信のためのものであり；かつ、
前記オペレーターコンピューターから信号を受け取るように構成された遠隔地通信デバイスを有し、前記遠隔地通信デバイスにて受け取られる前記信号は、前記Ｘ線デバイスによって生成され、かつ、前記オペレーターコンピューターを通して中継され、
前記遠隔通信デバイスは、遠隔地プロセッサーと通信するように構成されており、前記遠隔プロセッサーは、前記オペレーターコンピューターへと送達され、かつ、前記Ｘ線デバイスの前記ハウジング内の前記プロセッサーへと中継される信号を生成するように構成されている、
前記携帯型Ｘ線システム。
【請求項３５】
当該システムが、前記Ｘ線デバイスと遠隔コンピューターとの間の双方向通信を有し、前記Ｘ線デバイスの前記ハウジング内の内部通信デバイスが、前記オペレーターコンピューターの無線通信デバイスに無線接続されており、かつ、前記オペレーターコンピューターが、前記遠隔地プロセッサーの通信デバイスと通信しており、かつ、前記遠隔地プロセッサーが、前記Ｘ線デバイスを用いて信号を送り、かつ、受け取るように構成されており、かつ、前記Ｘ線デバイスの１つ以上のパラメーターを変更するように構成されている、請求項３４に記載のシステム。
【請求項３６】
前記Ｘ線コンポーネントのうちの少なくとも１つが、前記ハウジング内の前記プロセッサーと通信している高周波Ｘ線生成器であり、かつ、前記遠隔地プロセッサーが、前記Ｘ線生成器の作動パラメーターを変更するために前記携帯型手持ちＸ線デバイスへと信号を送るように構成されている、請求項３５に記載のシステム。
【国際調査報告】
2020526338.tif 000014
2020526338.tif 000015
2020526338.tif 000016
2020526338.tif 000017